(57)【要約】【課題】  インターネットを利用して健康保険組合等の事業所を対象とする福利厚生として医薬品を販売する医薬品販売システムを提供することを課題とする。【解決手段】  医薬品販売システム１は、インターネットＮに接続し、事業所Ｕの構成員Ｍが利用する構成員端末２と、事業所Ｕによって設置および管理運営される事業所サーバ３と、医薬品を販売する販売会社Ｓによって設置および管理運営される販売者サーバ４とから主に構成されている。そして、事業所サーバ３は、構成員端末２から送出された構成員識別データＩＤに基づいて構成員Ｍを認証し、認証された構成員Ｍに対して斡旋販売される医薬品ＤＭの販売医薬品情報ＳＩを送出する。その後、事業所サーバ３は、構成員端末２から送出された注文情報ＯＩを販売期間を限定して受付け、販売期間経過後、注文情報ＯＩを包括し、販売者サーバ４に送出する。【選択図】        図１
2005100324.tif 000002
【特許請求の範囲】
【請求項１】
通信ネットワークに接続された健康保険組合、共済組合、自治会を含む事業所の事業所サーバは、
前記事業所の構成員を識別する構成員識別データを構成員識別データベースに記憶する構成員識別データ記憶手段と、
前記構成員を対象に期間を限定して販売する医薬品の医薬品名、および販売価格を含む医薬品情報を医薬品情報データベースに記憶する医薬品情報記憶手段と、
前記構成員が利用する構成員端末から前記通信ネットワークを介して前記構成員識別データを受付ける構成員識別データ受付手段と、
受付けた前記構成員識別データを前記構成員識別データベースに照会し、前記構成員を認証する構成員認証手段と、
前記医薬品を販売する販売期間を示す販売期間データおよび前記医薬品情報を、前記構成員認証手段によって認証された前記構成員が利用する前記構成員端末に前記通信ネットワークを介して送出する販売医薬品情報送出手段と、
前記構成員が購入を希望する前記医薬品の前記医薬品情報、注文する個数を示す個数データ、および前記構成員情報を含む注文情報を前記販売期間に限定して受付ける注文情報受付手段と、
受付けた前記注文情報を注文情報データベースに記憶する注文情報記憶手段と、
前記販売期間を経過した後、前記販売期間内に受付けた複数の前記注文情報を包括した包括注文情報を作成する包括注文情報作成手段と、
前記包括注文情報を前記医薬品を販売する販売者の販売者サーバに前記通信ネットワークを介して送出する包括注文情報送出手段と
を具備することを特徴とする医薬品販売システム。
【請求項２】
前記販売者サーバは、
前記構成員識別データに対応させて前記構成員の氏名および前記医薬品を配送する配送先を含む構成員情報を構成員情報データベースに記憶する構成員情報記憶手段と、
前記事業所端末から送出された前記包括注文情報を前記通信ネットワークを介して受付ける包括注文情報受付手段と、
前記包括注文情報を前記構成員情報データベースに照会し、各注文情報に対応する前記構成員情報を抽出する構成員情報抽出手段と、
抽出された前記構成員情報を、前記包括注文情報に含まれる前記構成員識別データに対応させてそれぞれ付加し、出荷指示情報を作成する出荷指示情報作成手段と、
前記医薬品を配送する配送元が利用する配送元端末に、前記出荷指示情報を送出する出荷指示送出手段と
を具備することを特徴とする請求項１に記載の医薬品販売システム。
【請求項３】
前記構成員端末は、
体の不調の症状を示す症状データを、前記事業所サーバに前記通信ネットワークを介して送出する症状データ送出手段を有し、
前記事業所サーバは、
前記症状データに対応させて、前記症状を改善するのに適した前記医薬品の前記医薬品情報を症状別データベースに記憶する症状記憶手段と、
前記構成員端末から送出された前記症状データを受付ける症状データ受付手段と、
受付けた症状データを前記症状別データベースに照会し、対応する前記医薬品情報を抽出する医薬品情報抽出手段と、
抽出された前記医薬品情報を、前記通信ネットワークを介して前記構成員端末に送出する症状別医薬品情報送出手段と
をさらに具備することを特徴とする請求項１又は請求項２のいずれか一つに記載の医薬品販売システム。
【請求項４】
前記事業所サーバは、
前記販売期間を経過した後、前記注文情報データベースに記憶された前記注文情報を履歴データとして履歴データベースに記憶する履歴データ記憶手段と、
前記構成員識別データを含み、履歴データを要求する履歴要求データを、前記構成員端末から前記通信ネットワークを介して受付ける履歴要求データ受付手段と、
受付けた前記履歴要求データを前記履歴データベースに照会し、前記履歴データを抽出する履歴データ抽出手段と、
抽出された前記履歴データを前記通信ネットワークを介して前記構成員端末に送出する履歴データ送出手段と
をさらに具備することを特徴とする請求項１乃至請求項３のいずれか一つに記載の医薬品販売システム。
【請求項５】
通信ネットワークに接続され、健康保険組合、共済組合、及び自治会を含む予め登録された複数の登録事業所にそれぞれ属する構成員からの医薬品の注文を受付け、前記登録事業所別に集計を行う医薬品集計サーバは、
それぞれの前記登録事業所に属する複数の前記構成員を識別可能な構成員識別データを構成員識別データベースに記憶する構成員識別データ記憶手段と、
前記構成員を販売対象とし、さらに販売期間を限定して販売する前記医薬品の医薬品名及び販売価格を含む医薬品情報を、前記登録事業所単位別に医薬品情報データベースに記憶する医薬品情報記憶手段と、
前記構成員の利用する構成員端末から、前記通信ネットワークを介して送出される前記構成員識別データを受付け、前記構成員識別データベースに照会し、前記構成員の認証を行う構成員認証手段と、
前記販売期間に係る販売期間データ及び前記医薬品情報を、認証された前記構成員端末に前記通信ネットワークを介して送出する販売医薬品情報送出手段と、
前記構成員が購入を希望する前記医薬品の前記医薬品情報、注文個数を示す個数データ、及び前記構成員情報を含む注文情報を、前記販売期間に限定して受付ける注文情報受付手段と、
受付けた前記注文情報を注文情報データベースに前記登録事業所別に分類して記憶する注文情報記憶手段と、
前記販売期間の経過後、前記販売期間内に受付けた複数の前記注文情報を前記登録事業所別に包括し、集計した包括注文情報を作成する包括注文情報作成手段と、
前記登録事業所に属する注文管理者の利用する管理者端末からの接続要求を、前記通信ネットワークを介して受付け、前記包括注文情報作成手段によって作成された前記包括注文情報を前記管理者端末に対して閲覧可能に公開する包括注文情報公開手段と、
前記管理者端末に対して公開され、前記注文管理者による承認を得た前記包括注文情報を、前記注文管理者による送信指示に応じて前記医薬品を販売する販売者の販売者サーバに前記通信ネットワークを介して送出する包括注文情報送出手段と
を具備することを特徴とする医薬品販売システム。
【請求項６】
前記販売者サーバは、
前記構成員識別データに対応させ、前記構成員の氏名及び前記医薬品を配送する配送先を含む構成員情報構成員情報データベースに記憶する構成員情報記憶手段と、
前記医薬品集計サーバから前記登録事業所別に送出された前記包括注文情報を、前記通信ネットワークを介して受付ける包括注文情報受付手段と、
受付けた前記包括注文情報を前記構成員情報データベースに照会し、各々の前記包括注文情報に対応する前記構成員情報を抽出する構成員情報抽出手段と、
抽出された前記構成員情報を、前記包括注文情報に含まれる前記構成員識別データに対応させて付加し、出荷指示情報を作成する出荷指示情報作成手段と、
前記医薬品を配送する配送元が利用する配送元端末に、前記出荷指示情報を送出する出荷指示送出手段と
を具備することを特徴とする請求項５に記載の医薬品販売システム。
【請求項７】
前記管理者端末は、
前記医薬品集計サーバから公開された前記包括注文情報を、前記通信ネットワークを介して閲覧する閲覧手段と、
閲覧した前記包括注文情報を前記注文管理者が承認し、前記医薬品集計サーバに前記包括注文情報を前記販売者サーバに対して送信する旨の指示の入力を受付ける送信指示入力受付手段と、
受付けた送信指示を、前記通信ネットワークを介して前記医薬品集計サーバに送出する送信指示送出手段と
を具備することを特徴とする請求項５又は請求項６に記載の医薬品販売システム。
【請求項８】
健康保険組合、共済組合、自治会を含む事業所の構成員を識別する構成員識別データを構成員識別データベースに記憶する構成員識別データ記憶手段、前記構成員を対象に期間を限定して販売する医薬品の医薬品名、および販売価格を含む医薬品情報を医薬品情報データベースに記憶する医薬品情報記憶手段、前記構成員が利用する構成員端末から通信ネットワークを介して前記構成員識別データを受付ける構成員識別データ受付手段、受付けた前記構成員識別データを前記構成員識別データベースに照会し、前記構成員を認証する構成員認証手段、前記医薬品を販売する販売期間を示す販売期間データおよび前記医薬品情報を、前記構成員認証手段によって認証された前記構成員が利用する前記構成員端末に前記通信ネットワークを介して送出する販売医薬品情報送出手段、前記構成員が購入を希望する前記医薬品の前記医薬品情報、注文する個数を示す個数データ、および前記構成員情報を含む注文情報を前記販売期間に限定して受付ける注文情報受付手段、受付けた前記注文情報を注文情報データベースに記憶する注文情報記憶手段、前記販売期間を経過した後、前記販売期間内に受付けた複数の前記注文情報を包括した包括注文情報を作成する包括注文情報作成手段、および前記包括注文情報を前記医薬品を販売する販売者の販売者サーバに前記通信ネットワークを介して送出する包括注文情報送出手段として、前記通信ネットワークに接続された事業所サーバを機能させることを特徴とする医薬品販売プログラム。
【請求項９】
前記構成員識別データに対応させて前記構成員の氏名および前記医薬品を配送する配送先を含む構成員情報を構成員情報データベースに記憶する構成員情報記憶手段、前記事業所端末から送出された前記包括注文情報を前記通信ネットワークを介して受付ける包括注文情報受付手段、前記包括注文情報を前記構成員情報データベースに照会し、各注文情報に対応する前記構成員情報を抽出する構成員情報抽出手段、抽出された前記構成員情報を、前記包括注文情報に含まれる前記構成員識別データに対応させてそれぞれ付加し、出荷指示情報を作成する出荷指示情報作成手段、および前記医薬品を配送する配送元が利用する配送元端末に、前記出荷指示情報を送出する出荷指示送出手段として前記販売者サーバを機能させることを特徴とする請求項８に記載の医薬品販売プログラム。
【請求項１０】
体の不調の症状を示す症状データに対応させて、前記症状を改善するのに適した前記医薬品の前記医薬品情報を症状別データベースに記憶する症状記憶手段、前記構成員端末から送出された前記症状データを受付ける症状データ受付手段、受付けた症状データを前記症状別データベースに照会し、対応する前記医薬品情報を抽出する医薬品情報抽出手段、および抽出された前記医薬品情報をまとめて、前記通信ネットワークを介して前記構成員端末に送出する症状別医薬品情報送出手段として、前記事業所サーバをさらに機能させることを特徴とする請求項８又は請求項９のいずれか一つに記載の医薬品販売プログラム。
【請求項１１】
前記販売期間を経過した後、前記注文情報データベースに記憶された前記注文情報を履歴データとして履歴データベースに記憶する履歴データ記憶手段、前記構成員識別データを含み、履歴データを要求する履歴要求データを、前記構成員端末から前記通信ネットワークを介して受付ける履歴要求データ受付手段、受付けた前記履歴要求データを前記履歴データベースに照会し、前記履歴データを抽出する履歴データ抽出手段、および抽出された前記履歴データを前記通信ネットワークを介して前記構成員端末に送出する履歴データ送出手段として、前記事業所サーバをさらに機能させることを特徴とする請求項８乃至請求項１０のいずれか一つに記載の医薬品販売プログラム。
【請求項１２】
登録事業所に属する複数の構成員を識別可能な構成員識別データを構成員識別データベースに記憶する構成員識別データ記憶手段、前記構成員を販売対象とし、さらに販売期間を限定して販売する前記医薬品の医薬品名及び販売価格を含む医薬品情報を、前記登録事業所単位別に医薬品情報データベースに記憶する医薬品情報記憶手段、前記構成員の利用する構成員端末から、通信ネットワークを介して送出される前記構成員識別データを受付け、前記構成員識別データベースに照会し、前記構成員の認証を行う構成員認証手段、前記販売期間に係る販売期間データ及び前記医薬品情報を、認証された前記構成員端末に前記通信ネットワークを介して送出する販売医薬品情報送出手段、前記構成員が購入を希望する前記医薬品の前記医薬品情報、注文個数を示す個数データ、及び前記構成員情報を含む注文情報を、前記販売期間に限定して受付ける注文情報受付手段、受付けた前記注文情報を注文情報データベースに前記登録事業所別に分類して記憶する注文情報記憶手段、前記販売期間の経過後、前記販売期間内に受付けた複数の前記注文情報を前記登録事業所別に包括し、集計した包括注文情報を作成する包括注文情報作成手段、前記登録事業所に属する注文管理者の利用する管理者端末からの接続要求を前記通信ネットワークを介して受付け、前記包括注文情報作成手段によって作成された前記包括注文情報を前記管理者端末に対して閲覧可能に公開する包括注文情報公開手段、及び前記管理者端末に対して公開され、前記注文管理者による承認を得た前記包括注文情報を、前記注文管理者による送信指示に応じて前記医薬品を販売する販売者の販売者サーバに前記通信ネットワークを介して送出する包括注文情報送出手段として、前記通信ネットワークに接続された医薬品集計サーバを機能させることを特徴とする医薬品販売プログラム。
【請求項１３】
前記構成員識別データに対応させ、前記構成員の氏名及び前記医薬品を配送する配送先を含む構成員情報構成員情報データベースに記憶する構成員情報記憶手段、前記医薬品集計サーバから前記登録事業所別に送出された前記包括注文情報を、前記通信ネットワークを介して受付ける包括注文情報受付手段、受付けた前記包括注文情報を前記構成員情報データベースに照会し、各々の前記包括注文情報に対応する前記構成員情報を抽出する構成員情報抽出手段、抽出された前記構成員情報を、前記包括注文情報に含まれる前記構成員識別データに対応させて付加し、出荷指示情報を作成する出荷指示情報作成手段、及び前記医薬品を配送する配送元が利用する配送元端末に、前記出荷指示情報を送出する出荷指示送出手段として、前記販売者サーバを機能させることを特徴とする請求項１２に記載の医薬品販売プログラム。
【請求項１４】
前記医薬品集計サーバから公開された前記包括注文情報を、前記通信ネットワークを介して閲覧する閲覧手段、閲覧した前記包括注文情報を前記注文管理者が承認し、前記医薬品集計サーバに前記包括注文情報を前記販売者サーバに対して送信する旨の指示の入力を受付ける送信指示入力受付手段、及び受付けた送信指示を、前記通信ネットワークを介して前記医薬品集計サーバに送出する送信指示送出手段として、前記管理者端末をさらに機能させることを特徴とする請求項１２又は請求項１３に記載の医薬品販売プログラム。
【発明の詳細な説明】
【技術分野】
【０００１】
本発明は、通信ネットワークを介して注文を受付け、商品を届ける通信販売において、医薬品に関して期間および事業所を限定して注文を受付ける医薬品販売システムおよび医薬品販売プログラムに関するものである。
【背景技術】
【０００２】
薬事法に定められている医薬品（薬の公定書  日本薬局方に納められたもの，人、又は動物の疾病の診断、治療又は予防に使われるもの，人、又は動物の身体の構造や機能に影響を及ぼす器具機械でないもの）の販売には種々の規制が課せられており、薬局および医薬品一般販売業（小売）が店舗において販売する場合のみ販売を許可されている。すなわち、通信販売（カタログ販売）は許可されていない。
【０００３】
上述したように、薬事法において卸売一般販売業に分類される卸売業者等は、不特定多数の人に反復継続して医薬品を販売することを許可されていない。しかし、健康保健組合、共済組合、自治会、および職域等の事業所を通じて各構成員に対し福利厚生として医薬品を販売することは許可されている（薬事法２６条ただし書）。この場合、事業所は構成員の注文を取りまとめ、限られた期間に一度、卸売一般販売業者に特定の医薬品を注文する。ここで、卸売業者等は、大量の注文を見込んで製薬会社等に発注することにより、低価格で医薬品を仕入れることができ、事業所に対して低価格で販売することが可能となる。そのため、構成員は一般の小売店（薬局等）で購入するより低価格で医薬品を購入することができることもある。
【０００４】
このように、福利厚生として医薬品を販売する、いわゆる「斡旋販売」では、通常、卸売業者等から配布された注文用紙を事業所が各構成員に配布し、各構成員が注文内容を記入した後、事業所が回収し、卸売業者等にまとめて発注する。そして、卸売業者等は注文された商品をまとめて事業所に送付する、或いは個別に各構成員に送付するという仕組みになっている。
【０００５】
以上の従来技術は、公然に実施されているものであり、出願人は、この従来技術が記載された文献を、本願出願時においては知見していない。
【発明の開示】
【発明が解決しようとする課題】
【０００６】
ここで、斡旋販売によって医薬品を購入する際は、例えば、「健康保険組合」の各職場の「役員」が用紙を配布および回収していた。すなわち、職場で取りまとめ、さらに事業所で取りまとめるため、手数がかかっていた。また、段階的に取りまとめるため、卸売業者等が指定する期限より早い期限が設定されることがあり、構成員が注文できる期間が短くなることがあった。一方、事業所および卸売一般販売業者は、用紙を使用して注文を取りまとめるため、集計等の作業に多くの労力を要していた。そこで、医薬品の斡旋販売にかかる手数を削減したいと望む声があった。
【０００７】
また、卸売一般販売業者は、かかる斡旋販売を複数の事業所に対して行っており、事業所毎に販売期間、販売する医薬品の種類、及び販売価格がそれぞれ個別に設定されるため、上述の医薬品の販売の開始から、注文の受付け、仕分け、及び配送などの作業がより煩雑になることがあった。そのため、医薬品の斡旋販売において、より効率的な運用が可能な医薬品販売システム及びコンピュータ等を機能させる医薬品販売プログラムを望む声が強かった。
【０００８】
そこで、本発明は、上記実情に鑑み、インターネットを利用して健康保険組合等の事業所を対象とする福利厚生として医薬品を販売する医薬品販売システムおよび医薬品販売プログラムを提供することを第一の課題とし、複数の事業所単位で行われる医薬品の斡旋販売を効率的に運用することが可能な医薬品販売システムおよび医薬品販売プログラムを提供することを第二の課題とする。
【課題を解決するための手段】
【０００９】
本発明に係る医薬品販売システムは、「通信ネットワークに接続された健康保険組合、共済組合、自治会を含む事業所の事業所サーバは、前記事業所の構成員を識別する構成員識別データを構成員識別データベースに記憶する構成員識別データ記憶手段と、前記構成員を対象に期間を限定して販売する医薬品の医薬品名、および販売価格を含む医薬品情報を前記医薬品を識別する医薬品識別データに対応させて医薬品情報データベースに記憶する医薬品情報記憶手段と、前記構成員が利用する構成員端末から前記通信ネットワークを介して前記構成員識別データを受付ける構成員識別データ受付手段と、受付けた前記構成員識別データを前記構成員識別データベースに照会し、前記構成員を認証する構成員認証手段と、前記医薬品を販売する販売期間を示す販売期間データ、前記医薬品識別データ、および前記医薬品情報を、前記構成員認証手段によって認証された前記構成員が利用する前記構成員端末に前記通信ネットワークを介して送出する販売医薬品情報送出手段と、前記構成員が購入を希望する前記医薬品の前記医薬品識別データ、注文する個数を示す個数データ、および前記構成員識別データを含む注文情報を前記販売期間に限定して受付ける注文情報受付手段と、受付けた前記注文情報を注文情報データベースに記憶する注文情報記憶手段と、前記販売期間が経過した後、前記販売期間に受付けた複数の前記注文情報を包括した包括注文情報を作成する包括注文情報作成手段と、前記包括注文情報を前記医薬品を販売する販売者の販売者サーバに前記通信ネットワークを介して送出する包括注文情報送出手段と」を、上述の課題を解決するための主要な手段とする。
【００１０】
ここで、構成員識別データは、例えば、健康保険組合の組合員に対してそれぞれ付与されている組合員番号、健康保険番号等を利用することが可能である。また、事業所サーバは各事業所が個別に管理運営し、事業所の構成員を対象とするホームページ等を開設して販売医薬品情報、注文情報等をやり取りするものが例示される。
【００１１】
また、医薬品とは、薬事法第一章第二条に定められるものである。
薬事法第一章第二条：この法律で「医薬品」とは、次の各号に掲げる物をいう。
１．日本薬局方に収められている物。
２．人又は動物の疾病の診断、治療又は予防に使用されることが目的とされている物であつて、器具器械（歯科材料、医療用品及び衛生用品を含む。以下同じ。）でないもの（医薬部外品を除く。）。
３．人又は動物の身体の構造又は機能に影響を及ぼすことが目的とされている物であつて、器具器械でないもの（医薬部外品及び化粧品を除く。）。
なお、医薬品情報は、少なくとも医薬品名、製造元、販売価格を含み、さらに、効能、使用方法等の種々の情報を含むものであってもよい。そして、販売者から取得された（通信ネットワークを通じて電子データで取得する等）医薬品情報が、予め医薬品情報データベースに検索可能に記憶されている。
【００１２】
そして、販売期間データは販売期間が決定した後に入力してもよいし、三ヶ月毎に一ヶ月間等と予めプログラムによって設定してもよい。また、事業所サーバに設けられている時計に基づいて、期間を限定したデータの受付、包括注文情報の作成を制御するものが想定される。
【００１３】
さらに、事業所サーバは、販売期間内に同一の前記構成員が送出した複数の前記注文情報を構成員識別データに対応させて注文情報データベースに蓄積する注文情報蓄積手段をさらに具備してもよい。これにより、同一の構成員による複数の注文が別々に記憶されず、一つにまとまって記憶される。すなわち、構成員は、販売期間中に複数回に渡って注文情報を送出することが可能となり、期間内であれば、注文し忘れたもの等を追加することができる。
【００１４】
したがって、本発明の医薬品販売システムによれば、事業所サーバは、構成員識別データを用いて構成員を認証し、さらに、期間を限定して注文情報を受付け、販売期間経過後に注文をまとめて販売者サーバに送出することが可能となる。すなわち、販売者は、一年に決まった回数、特定の事業所サーバで取りまとめられた注文を受付けて販売するため、卸売一般販売業者がこのシステムを利用することにより、通信ネットワークを利用した医薬品の販売を実施することが可能となる。
【００１５】
また、構成員は構成員端末を利用して、斡旋販売される医薬品を注文することが可能となるため、時間および場所を限定されず、医薬品を注文することができる。そして、事業所サーバは販売期間を限定して注文を受付け、販売期間が経過した後、販売会社の販売者サーバに送出することが可能であるため、事業所は、紙等を利用して構成員からの注文をとりまとめて販売者に注文をするという手数を省略することができる。
【００１６】
さらに、上記医薬品販売システムを、「前記販売者サーバは、前記構成員識別データに対応させて前記構成員の氏名および前記医薬品を配送する配送先を含む構成員情報を構成員情報データベースに記憶する構成員情報記憶手段と、前記事業所端末から送出された前記包括注文情報を前記通信ネットワークを介して受付ける包括注文情報受付手段と、前記包括注文情報を前記構成員情報データベースに照会し、各注文情報に対応する前記構成員情報を抽出する構成員情報抽出手段と、抽出された前記構成員情報を、前記包括注文情報に含まれる前記構成員識別データに対応させてそれぞれ付加し、出荷指示情報を作成する出荷指示情報作成手段と、前記医薬品を配送する配送元が利用する配送元端末に、前記出荷指示情報を送出する出荷指示送出手段とを具備する」ものとしてもよい。
【００１７】
ここで、配送先とは構成員の住所、会社の部課名等の構成員が医薬品の配送を希望する場所を示すものであり、事業所から構成員情報を取得して、予め構成員情報データベースに記憶するものである。このとき、事業所サーバから通信ネットワークを通じて電子データの形式で取得する、キーボード等を利用して入力することが可能である。
【００１８】
また、配送元とは、医薬品を仕分けし、配送する部署や、仕分けされた医薬品を配送する配送業者等が例示される。そして、配送元端末は、プリンタ、電子計算機等が例示される。電子計算機の場合、受付けた出荷指示情報を電子計算機に接続されたモニタディスプレイに表示させるものが好適である。
【００１９】
加えて、事業所サーバは、包括注文情報に事業所を識別する事業所識別データを付与する事業所識別データ付与手段をさらに具備し、販売者サーバは、構成員情報に対応させて事業所識別データを構成員情報データベースに記憶する事業所識別データ記憶手段をさらに具備し、前記構成員情報抽出手段は、受付けた前記包括注文情報に付加された事業所識別データ、および構成員識別データに基づいて前記構成員情報を抽出するものとしてもよい。ここで、事業所識別データとは、販売者が各事業所に対して付与した識別番号等（○○健康保険組合は「００１」、××健康保険組合は「００２」等）が例示される。これにより、販売者サーバは複数の事業所からの注文情報を受付け、事業所識別データおよび構成員識別データの両データを用いて、構成員を識別することが可能となる。そのため、例えば、同一の構成員識別データを有する構成員が複数名ある場合、事業所識別データによって識別することができる。
【００２０】
したがって、販売者サーバは、受付けた注文情報に基づいて構成員情報を抽出し、注文情報および構成員情報を有する出荷指示を配送元端末に送出することが可能となる。また、販売者サーバは、注文情報を電子データの形式で取得するができるため、注文された医薬品の統計をとって販売分析を行う、注文された金額を計算する等の処理が容易になり、注文の集計等にかかる販売者の手数を削減することができる。
【００２１】
また、上記医薬品販売システムを、「前記構成員端末は、体の不調の症状を示す症状データを、前記事業所サーバに前記通信ネットワークを介して送出する症状データ送出手段を有し、前記事業所サーバは、前記症状データに対応させて、前記症状を改善するのに適した前記医薬品の前記医薬品情報を症状別データベースに記憶する症状記憶手段と、前記構成員端末から送出された前記症状データを受付ける症状データ受付手段と、受付けた症状データを前記症状別データベースに照会し、対応する前記医薬品情報を抽出し、前記通信ネットワークを介して前記構成員端末に送出する症状別医薬品情報送出手段とをさらに具備する」ものとしてもよい。
【００２２】
ここで、症状データは、風邪、花粉症、腰痛等の種々の症状を示すものが例示される。例えば、ホームページ上に表示される種々の症状から該当する症状を選択するものが想定される。また、症状に対応する医薬品の医薬品情報は、予め、販売者から取得し症状別データベースに記憶されている。これにより、構成員は症状に対応する医薬品情報を参考にして、注文する医薬品を選択することが可能となる。
【００２３】
また、上記医薬品販売システムを、「前記事業所サーバは、前記販売期間を経過した後、前記注文情報データベースに記憶された前記注文情報を履歴データとして履歴データベースに記憶する履歴データ記憶手段と、前記構成員識別データを含み、履歴データを要求する履歴要求データを、前記構成員端末から前記通信ネットワークを介して受付ける履歴要求データ受付手段と、受付けた前記履歴要求データを前記履歴データベースに照会し、前記履歴データを抽出する履歴データ抽出手段と、抽出された前記履歴データを前記通信ネットワークを介して前記構成員端末に送出する履歴データ送出手段とをさらに具備する」ものとしてもよい。
【００２４】
ここで、履歴データは前回の注文情報を含むものである。さらに、配送した医薬品の使用期限等を含むものであってもよい。これにより、事業所サーバにおいて、販売期間が経過した後、販売期間内に受付けた注文情報は履歴データとして履歴データベースに記憶され、構成員からの履歴データの要求に応じて送出される。そのため、次の販売期間中に、前回の販売期間に注文した内容を確認し、医薬品の注文の参考にすることができる。
【００２５】
本発明に係る医薬品販売システムは、「通信ネットワークに接続され、健康保険組合、共済組合、及び自治会を含む予め登録された複数の登録事業所にそれぞれ属する構成員からの医薬品の注文を受付け、前記登録事業所別に集計を行う医薬品集計サーバは、それぞれの前記登録事業所に属する複数の前記構成員を識別可能な構成員識別データを構成員識別データベースに記憶する構成員識別データ記憶手段と、前記構成員を販売対象とし、さらに販売期間を限定して販売する前記医薬品の医薬品名及び販売価格を含む医薬品情報を、前記登録事業所単位別に医薬品情報データベースに記憶する医薬品情報記憶手段と、前記構成員の利用する構成員端末から、前記通信ネットワークを介して送出される前記構成員識別データを受付け、前記構成員識別データベースに照会し、前記構成員の認証を行う構成員認証手段と、前記販売期間に係る販売期間データ及び前記医薬品情報を、認証された前記構成員端末に前記通信ネットワークを介して送出する販売医薬品情報送出手段と、前記構成員が購入を希望する前記医薬品の前記医薬品情報、注文個数を示す個数データ、及び前記構成員情報を含む注文情報を、前記販売期間に限定して受付ける注文情報受付手段と、受付けた前記注文情報を注文情報データベースに前記登録事業所別に分類して記憶する注文情報記憶手段と、前記販売期間の経過後、前記販売期間内に受付けた複数の前記注文情報を前記登録事業所別に包括し、集計した包括注文情報を作成する包括注文情報作成手段と、前記登録事業所に属する注文管理者の利用する管理者端末からの接続要求を前記通信ネットワークを介して受付け、前記包括注文情報作成手段によって作成された前記包括注文情報を前記管理者端末に対して閲覧可能に公開する包括注文情報公開手段と、前記管理者端末に対して公開され、前記注文管理者による承認を得た前記包括注文情報を、前記注文管理者による送信指示に応じて前記医薬品を販売する販売者の販売者サーバに前記通信ネットワークを介して送出する包括注文情報送出手段と」を具備するものを上述の課題を解決するための主要な手段とする。
【００２６】
ここで、構成員識別データは、例えば、健康保険組合の組合員に対してそれぞれ付与されている組合員番号、健康保険番号等を利用することが可能である。また、医薬品集計サーバは、予め契約された複数の登録事業所に属する構成員からの医薬品の注文を受付けることが可能なものである。ここで、医薬品集計サーバを設置し、管理運営する主体と、後述の販売者サーバを設置し、管理運営する販売者とは、薬事法上の問題を回避するために全く別の組織（団体）とする必要がある。
【００２７】
したがって、本発明の医薬品販売システムによれば、医薬品集計サーバは、予め契約した登録事業所に属する構成員を、構成員識別データを用いて認証し、さらに販売期間を限定して医薬品に係る注文情報を受付け、販売期間経過後に注文管理者の送信指示を受けると、集計した包括注文情報を販売者サーバに送出することが可能となる。このとき、医薬品集計サーバには、予め契約した複数の登録事業所に属する構成員を構成員識別データに基づいて認証し、構成員端末から送出される注文情報を登録事業所別に集計し、包括注文情報を作成することが可能となる。そのため、登録事業所はそれぞれが注文情報を受けつけるためのサーバを設置し、管理運営する必要がなく、第三者の集計サーバ運営会社に係る業務を委託することができる。その結果、登録事業所に課される負担が軽減される。
【００２８】
また、作成された包括注文情報は、各登録事業所によって予め選任された注文管理者によって内容の確認が行われ、承認の後に販売者サーバに対して送出が行われるため、登録事業所において不正な注文などをチェックする機能を本システムは備えている。そして、販売者サーバを運営する卸売一般販売業者は、予め定められた販売期間内において、特定の対象者（登録事業所に属する構成員）に限定して、医薬品をインターネットなどの通信ネットワークを介して販売することができるようになる。特に、従来の斡旋販売の手法においては、登録事業所の役員（担当者）に課されていた過大な負担を、医薬品集計サーバを設置することにより軽減することができる。さらに、複数の登録事業所に属する構成員からの注文を一つの医薬品集計サーバで統合することができ、より効率的に斡旋販売を行うことができる。加えて、構成員は、通信ネットワークを介して注文を行うことが可能であり、時間的及び地域的な制限を受けることがない。なお、ここで構成員によって使用される構成員端末は、通信ネットワークに接続可能な環境を有するものであれば特に限定されず、パーソナルコンピュータ、携帯電話、及び情報通信端末（ＰＤＡ）などのものを利用することができる。
【００２９】
さらに、本発明にかかる医薬品販売システムを、「前記販売者サーバは、前記構成員識別データに対応させ、前記構成員の氏名及び前記医薬品を配送する配送先を含む構成員情報構成員情報データベースに記憶する構成員情報記憶手段と、前記医薬品集計サーバから前記登録事業所別に送出された前記包括注文情報を、前記通信ネットワークを介して受付ける包括注文情報受付手段と、受付けた前記包括注文情報を前記構成員情報データベースに照会し、各々の前記包括注文情報に対応する前記構成員情報を抽出する構成員情報抽出手段と、抽出された前記構成員情報を、前記包括注文情報に含まれる前記構成員識別データに対応させて付加し、出荷指示情報を作成する出荷指示情報作成手段と、前記医薬品を配送する配送元が利用する配送元端末に、前記出荷指示情報を送出する出荷指示送出手段と」を具備するものであってもよい。
【００３０】
したがって、本発明の医薬品販売システムによれば、販売者サーバは、受付けた注文情報に基づいて構成員情報を抽出し、注文情報および構成員情報を有する出荷指示を配送元端末に送出することが可能となる。また、販売者サーバは、注文情報を電子データの形式で取得するができるため、注文された医薬品の統計をとって販売分析を行う、注文された金額を計算する等の処理が容易になり、注文の集計等にかかる販売者の手数を削減することができる。さらに、複数の登録事業所をそれぞれ識別する事業所識別データを有するため、登録事業所別の包括注文情報を容易に認識することができる。
【００３１】
また、本発明にかかる医薬品販売システムを、「前記管理者端末は、前記医薬品集計サーバから公開された前記包括注文情報を、前記通信ネットワークを介して閲覧する閲覧手段と、閲覧した前記包括注文情報を前記注文管理者が承認し、前記医薬品集計サーバに前記包括注文情報を前記販売者サーバに対して送信する旨の指示の入力を受付ける送信指示入力受付手段と、受付けた送信指示を、前記通信ネットワークを介して前記医薬品集計サーバに送出する送信指示送出手段と」を具備するものであっても構わない。
【００３２】
したがって、本発明の医薬品販売システムによれば、構成員端末から送出された注文情報を登録事業所別に集計して作成された包括注文情報が、販売者サーバへ送信される前に、登録事業所によって予め選任された注文管理者によって通信ネットワークを通じて確認及び承認がされている。すなわち、一人の構成員によって同種の医薬品が大量に注文されていたり、明らかに誤った注文がされている場合など、不正や誤りなどをチェックすることが可能となる。これにより、本システムの安全性及び健全性を確保することができる。
【００３３】
本発明に係る医薬品販売プログラムは、「健康保険組合、共済組合、自治会を含む事業所の構成員を識別する構成員識別データを構成員識別データベースに記憶する構成員識別データ記憶手段、前記構成員を対象に期間を限定して販売する医薬品の医薬品名、および販売価格を含む医薬品情報を前記医薬品を識別する医薬品識別データに対応させて医薬品情報データベースに記憶する医薬品情報記憶手段、前記構成員が利用する構成員端末から通信ネットワークを介して前記構成員識別データを受付ける構成員識別データ受付手段、受付けた前記構成員識別データを前記構成員識別データベースに照会し、前記構成員を認証する構成員認証手段、前記医薬品を販売する販売期間を示す販売期間データ、前記医薬品識別データ、および前記医薬品情報を、前記構成員認証手段によって認証された前記構成員が利用する前記構成員端末に前記通信ネットワークを介して送出する販売医薬品情報送出手段、前記構成員が購入を希望する前記医薬品の前記医薬品識別データ、注文する個数を示す個数データ、および前記構成員識別データを含む注文情報を前記販売期間に限定して受付ける注文情報受付手段、受付けた前記注文情報を注文情報データベースに記憶する注文情報記憶手段、前記販売期間が経過した後、前記販売期間に受付けた複数の前記注文情報を包括した包括注文情報を作成する包括注文情報作成手段、および前記包括注文情報を前記医薬品を販売する販売者の販売者サーバに前記通信ネットワークを介して送出する包括注文情報送出手段として、前記通信ネットワークに接続された事業所サーバを機能させること」を、上述の課題を解決するための特徴とする。
【００３４】
さらに、上記医薬品販売プログラムを、「前記構成員識別データに対応させて前記構成員の氏名および前記医薬品を配送する配送先を含む構成員情報を構成員情報データベースに記憶する構成員情報記憶手段、前記事業所端末から送出された前記包括注文情報を前記通信ネットワークを介して受付ける包括注文情報受付手段、前記包括注文情報を前記構成員情報データベースに照会し、各注文情報に対応する前記構成員情報を抽出する構成員情報抽出手段、抽出された前記構成員情報を、前記包括注文情報に含まれる前記構成員識別データに対応させてそれぞれ付加し、出荷指示情報を作成する出荷指示情報作成手段、および前記医薬品を配送する配送元が利用する配送元端末に、前記出荷指示情報を送出する出荷指示送出手段として前記販売者サーバをさらに機能させる」ものとしてもよい。
【００３５】
加えて、上記医薬品販売プログラムを、「体の不調の症状を示す症状データに対応させて、前記症状を改善するのに適した前記医薬品の前記医薬品識別データを症状別データベースに記憶する症状記憶手段、前記構成員端末から送出された前記症状データを受付ける症状データ受付手段、受付けた症状データを前記症状別データベースに照会し、対応する前記医薬品識別データを抽出する医薬品識別データ抽出手段、および抽出された前記医薬品識別データに基づいて前記医薬品情報を抽出し、前記通信ネットワークを介して前記構成員端末に送出する症状別医薬品情報送出手段として、前記事業所サーバをさらに機能させる」ものとしてもよい。
【００３６】
さらに、上記医薬品販売プログラムを、「前記販売期間を経過した後、前記注文情報データベースに記憶された前記注文情報を履歴データとして履歴データベースに記憶する履歴データ記憶手段、前記構成員識別データを含み、履歴データを要求する履歴要求データを、前記構成員端末から前記通信ネットワークを介して受付ける履歴要求データ受付手段、受付けた前記履歴要求データを前記履歴データベースに照会し、前記履歴データを抽出する履歴データ抽出手段、および抽出された前記履歴データを前記通信ネットワークを介して前記構成員端末に送出する履歴データ送出手段として、前記事業所サーバをさらに機能させる」ものとしてもよい。
【００３７】
また、本発明に係る医薬品販売プログラムを、「登録事業所に属する複数の構成員を識別可能な構成員識別データを構成員識別データベースに記憶する構成員識別データ記憶手段、前記構成員を販売対象とし、さらに販売期間を限定して販売する前記医薬品の医薬品名及び販売価格を含む医薬品情報を、前記登録事業所単位別に医薬品情報データベースに記憶する医薬品情報記憶手段、前記構成員の利用する構成員端末から、通信ネットワークを介して送出される前記構成員識別データを受付け、前記構成員識別データベースに照会し、前記構成員の認証を行う構成員認証手段、前記販売期間に係る販売期間データ及び前記医薬品情報を、認証された前記構成員端末に前記通信ネットワークを介して送出する販売医薬品情報送出手段、前記構成員が購入を希望する前記医薬品の前記医薬品情報、注文個数を示す個数データ、及び前記構成員情報を含む注文情報を、前記販売期間に限定して受付ける注文情報受付手段、受付けた前記注文情報を注文情報データベースに前記登録事業所別に分類して記憶する注文情報記憶手段、前記販売期間の経過後、前記販売期間内に受付けた複数の前記注文情報を前記登録事業所別に包括し、集計した包括注文情報を作成する包括注文情報作成手段、前記登録事業所に属する注文管理者の利用する管理者端末からの接続要求を前記通信ネットワークを介して受付け、前記包括注文情報作成手段によって作成された前記包括注文情報を前記管理者端末に対して閲覧可能に公開する包括注文情報公開手段、及び前記管理者端末に対して公開され、前記注文管理者による承認を得た前記包括注文情報を、前記注文管理者による送信指示に応じて前記医薬品を販売する販売者の販売者サーバに前記通信ネットワークを介して送出する包括注文情報送出手段として、前記通信ネットワークに接続された医薬品集計サーバを機能させる」ものから主に構成されている。
【００３８】
また、本発明に係る医薬品販売プログラムは、「前記構成員識別データに対応させ、前記構成員の氏名及び前記医薬品を配送する配送先を含む構成員情報構成員情報データベースに記憶する構成員情報記憶手段、前記医薬品集計サーバから前記登録事業所別に送出された前記包括注文情報を、前記通信ネットワークを介して受付ける包括注文情報受付手段、受付けた前記包括注文情報を前記構成員情報データベースに照会し、各々の前記包括注文情報に対応する前記構成員情報を抽出する構成員情報抽出手段、抽出された前記構成員情報を、前記包括注文情報に含まれる前記構成員識別データに対応させて付加し、出荷指示情報を作成する出荷指示情報作成手段、及び前記医薬品を配送する配送元が利用する配送元端末に、前記出荷指示情報を送出する出荷指示送出手段として、前記販売者サーバを機能させる」ものであってもよい。
【００３９】
さらに、上記医薬品販売プログラムを、「前記医薬品集計サーバから公開された前記包括注文情報を、前記通信ネットワークを介して閲覧する閲覧手段、閲覧した前記包括注文情報を前記注文管理者が承認し、前記医薬品集計サーバに前記包括注文情報を前記販売者サーバに対して送信する旨の指示の入力を受付ける送信指示入力受付手段、及び受付けた送信指示を、前記通信ネットワークを介して前記医薬品集計サーバに送出する送信指示送出手段として、前記管理者端末をさらに機能させる」ものとしてもよい。
【００４０】
上記に示した医薬品販売プログラムを実行することにより、事業所サーバ、医薬品集計サーバ、販売者サーバ、管理者端末のそれぞれに対し、前述した医薬品販売システムの作用を奏させることができる。
【発明の効果】
【００４１】
本発明の効果として、販売者は、購入者および販売期間を限定して、通信ネットワークを介して医薬品の販売をすることが可能となる。したがって、購入者（構成員）は購入期間内に随時注文することが可能となり、事業所は構成員からの注文を取りまとめる手数を軽減することができ、販売者は販売分析、料金の計算等の処理が容易にできる。さらに、予め登録された複数の登録事業所に属する構成員からの医薬品の注文を、販売者とは異なる組織によって運営される医薬品集計サーバによって受付け、さらに登録事業所別に集計された包括注文情報を、医薬品を販売する販売者の管理運営する販売者サーバに送出することができる。これにより、通信ネットワークを介して医薬品の斡旋販売を行うことが可能となり、従来の紙ベースを主体とする注文と比して、登録事業所の注文管理者は、作成された包括注文情報の内容の確認及び承認を行うだけでよいため、煩雑な作業から解放される。その結果、斡旋販売における登録事業者の負担を大幅に軽減することができる。
【発明を実施するための最良の形態】
【００４２】
以下、本発明の第一実施形態である医薬品販売システム１について、図１乃至図５に基づいて詳しく説明する。ここで、図１は第一実施形態である医薬品販売システム１の概略構成を示す説明図であり、図２は構成員端末２および販売者サーバ４の機能的構成を示すブロック図であり、図３は事業所サーバ３の機能的構成を示すブロック図であり、図４は構成員端末２および事業所サーバ３における処理の流れを示すフローチャートであり、図５は事業所サーバ３および販売者サーバ４における処理の流れを示すフローチャートである。
【００４３】
第一実施形態の医薬品販売システム１は、図１に示すようにインターネットＮに接続し、事業所Ｕの構成員Ｍが利用する構成員端末２と、事業所Ｕによって設置および管理運営される事業所サーバ３と、医薬品を販売する販売会社Ｓによって設置および管理運営される販売者サーバ４とから主に構成されている。ここで、事業所Ｕは健康保険組合、構成員Ｍは健康保険組合の組合員、販売会社Ｓは薬事法で卸売一般販売業に分類される医薬品の卸売会社である。そして、販売会社Ｓは事業所Ｕを通じて構成員Ｍに対して医薬品を販売すること（以下、斡旋販売と称する。）が可能である。
【００４４】
まず、構成員端末２について図２に基づいて詳細に説明する。構成員端末２はその機能的構成として、キーボード等の操作手段Ｏを介して入力された構成員識別データＩＤをインターネットＮを介して事業所サーバ３に送出する構成員識別データ送出手段１１、事業所サーバ３から送出された販売医薬品情報ＳＩを受付ける販売医薬品情報受付手段１２、受付けた販売医薬品情報ＳＩをモニタディスプレイ等の表示手段ＭＤに表示させる表示制御手段１３、販売医薬品情報ＳＩを記憶する構成員端末記憶手段１４、記憶された販売医薬品情報ＳＩに基づいて、構成員Ｍが注文する医薬品ＤＭの医薬品情報ＭＩおよび個数データＱＤに構成員識別データＩＤを付与した注文情報ＯＩを作成する注文情報作成手段１５、注文情報ＯＩをインターネットＮを介して事業所サーバ３に送出する注文情報送出手段１６を有している。ここで、構成員識別データＩＤは健康保険組合の組合員番号を利用している。
【００４５】
さらに、操作手段Ｏを利用して構成員Ｍの体の不調を示す症状データＳＤを作成し、インターネットＮを介して事業所サーバ３に送出する症状データ送出手段１７、事業所サーバ３からインターネットＮを介して送出された症状別医薬品情報ＳＭＩを受付ける症状別医薬品情報受付手段１８を有する。そして、構成員端末２は事業所サーバ３に対して種々のデータおよび情報を送受信するための構成員端末送信制御手段１９ａおよび構成員端末受信制御手段１９ｂに接続した構成員端末通信手段２０を有している。なお、表示制御手段１３は、販売医薬品情報ＳＩ、および症状別医薬品情報ＳＭＩを表示手段ＭＤに表示させる表示形式等を制御する機能を有している。また、注文情報作成手段１５は、受付けた症状別医薬品情報ＳＭＩに基づいて作成することも可能である。ここで、構成員端末２は、パソコン、携帯電話、および携帯情報端末（ＰＤＡ）等を利用することが可能である。
【００４６】
次に、事業所サーバ３について図３に基づいて詳細に説明する。事業所サーバ３はその機能的構成として、構成員識別データＩＤを検索可能な構成員識別データベースＩＤＢに記憶する構成員識別データ記憶手段、斡旋販売において販売される医薬品ＤＭの医薬品名、製造元、および販売価格を含む医薬品情報ＭＩを医薬品情報データベースＭＩＤＢに記憶する医薬品情報記憶手段を有する。ここで、構成員識別データＩＤは、健康保険組合の組合員番号を利用して、予め記憶されている。また、医薬品情報ＭＩは、斡旋販売で販売される医薬品ＤＭに係る情報を、予め、販売会社Ｓから取得して記憶されている。例えば、インターネットＮを介して販売者サーバから電子データの形式で取得すること、キーボード等の操作手段Ｏを介して入力することが可能である。
【００４７】
また、構成員端末２からインターネットＮを介して送出された構成員識別データＩＤを受付ける構成員識別データ受付手段２１、受付けた構成員識別データＩＤを構成員識別データベースに照会し、認証する構成員認証手段２２、医薬品情報ＭＩおよび斡旋販売の販売期間を示す販売期間データＴＤを有する販売医薬品情報ＳＩを作成する販売医薬品情報作成手段２３、認証された構成員Ｍが利用する構成員端末２にインターネットＮを介して販売医薬品情報ＳＩを送出する販売医薬品情報送出手段２４を有する。
【００４８】
さらに、構成員端末２からインターネットＮを介して送出された注文情報ＯＩを期間を限定して受付ける注文情報受付手段２５、受付けた注文情報ＯＩを注文情報データベースＯＤＢに照会し、受付けた注文情報ＯＩに含まれる構成員識別データＩＤに基づいて注文情報ＯＩを注文情報データベースＯＤＢに蓄積する注文情報蓄積手段２６をさらに有する。なお、受付けた注文情報ＯＩに含まれる構成員識別データＩＤに合致する構成員識別データＩＤがない場合（すなわち、販売期間中、初めての注文の場合）、注文情報データベースＯＤＢにそのまま記憶される。ここで、販売期間データＴＤに基づいて、注文情報ＯＩの受付け、注文情報ＯＩの包括、合計金額の計算を制御する期間限定手段２７を有している。
【００４９】
加えて、販売期間が経過した後、注文情報データベースＯＤＢに蓄積された注文情報ＯＩおよび医薬品情報データベースＭＩＤＢに記憶されている医薬品情報ＭＩに基づいて、構成員Ｍごとに注文された医薬品ＤＭの合計金額を計算する合計金額計算手段２８、構成員識別データＩＤに対応させて合計金額を示す合計データＡＤを付加した注文情報ＯＩとし、注文情報データベースＯＤＢに記憶する合計金額記憶手段、合計金額を計算した後、合計データＡＤを含む注文情報ＯＩを包括し、事業所識別データＵＩＤを付加して包括注文情報ＰＯＩを作成する包括注文情報作成手段２９、包括注文情報ＰＯＩをインターネットＮを介して販売者サーバ４に送出する包括注文情報送出手段３０を有する。
【００５０】
また、体の不調（風邪、花粉症等）を示す症状データＳＤに対応させて医薬品情報ＭＩを症状別データベースＳＤＢに記憶する症状記憶手段と、症状データＳＤをインターネットＮを介して受付ける症状データ受付手段３１、受付けた症状データＳＤを症状別データベースＳＤＢに照会し、対応する医薬品情報ＭＩを抽出する医薬品情報抽出手段３２、抽出された医薬品情報ＭＩをまとめて症状別医薬品情報ＳＭＩとし、インターネットＮを介して構成員端末２に送出する症状別医薬品情報送出手段３３を有する。ここで、事業所サーバ記憶手段３８は、構成員識別データ記憶手段、医薬品情報記憶手段、注文情報記憶手段、および症状記憶手段の機能を有して構成され、さらに、販売期間データＴＤおよび事業所識別データＵＩＤを記憶する機能も有している。なお、症状別データベースＳＤＢは、インターネットＮを介して予め販売者サーバ４から電子データの形式で取得する、キーボード等の操作手段Ｏを介して入力することが可能である。
【００５１】
そして、事業所サーバ３は構成員端末２および販売者サーバ４に対して種々のデータおよび情報を送受信するための事業所サーバ受信制御手段３５ａおよび事業所サーバ送信制御手段３５ｂに接続した事業所サーバ通信手段３６を有している。なお、事業所サーバ３は、構成員端末２および販売者サーバ４に対して種々のデータおよび情報を送受信し、それらに応じた処理を行うものであり、ハード構成としては、汎用のサーバと同様、記憶装置、演算装置、および主制御装置を有している。
【００５２】
続いて、販売者サーバ４について図２に基づいて詳細に説明する。販売者サーバ４はその機能的構成として、構成員識別データＩＤに対応させて事業所識別データＵＩＤ、および構成員Ｍの氏名、医薬品ＤＭの配送先を含む構成員情報ＰＩを構成員情報データベースＵＤＢに記憶する販売者サーバ記憶手段４１、事業所サーバ３からインターネットＮを介して送出された包括注文情報ＰＯＩを受付ける包括注文情報受付手段４２、受付けた包括注文情報ＰＯＩを受注情報ＡＩとして受注情報データベースＡＤＢに記憶する受注情報記憶手段、受付けた包括注文情報ＰＯＩを構成員情報データベースＵＤＢに照会し、構成員情報ＰＩを抽出する構成員情報抽出手段４３を有する。ここで、包括注文情報ＰＯＩは事業所識別データＵＩＤおよび構成員識別データＩＤを有するため、両方のデータを利用して構成員情報ＰＩを抽出する。例えば、販売会社Ｓが複数の事業所Ｕを対象に医薬品ＤＭの販売を行う場合、事業所Ｕごとに構成員識別データＩＤが付与されているため、同じ構成員識別データＩＤが複数存在することがある。ここで、構成員情報データベースＵＤＢには構成員識別データＩＤに対応させて事業所識別データＵＩＤが記憶されており、両方のデータを利用して構成員Ｍを特定することができる。
【００５３】
そして、抽出された構成員情報ＰＩおよび受注情報ＡＩを含む出荷指示情報を作成する出荷指示情報作成手段４４、医薬品ＤＭを仕分けし、配送する配送者Ｄが利用する印刷手段Ｐに、出荷指示情報を送出する出荷指示情報送出手段４５を有する。
【００５４】
また、販売者サーバ４は事業所サーバ３から種々の情報を受信するための販売者サーバ受信制御手段４６を有している。なお、販売者サーバ４は事業所サーバ３からの指示をインターネットＮを介して受信し、これらの指示に応じた処理を行うものであり、ハード構成としては汎用のサーバと同様、記憶装置、演算装置、および主制御装置を有している。
【００５５】
次に、第一実施形態の医薬品販売システム１における構成員端末２、事業所サーバ３、および販売者サーバ４の処理の流れについて、図４および図５に基づいて説明する。ここで、ステップＴ１〜ステップＴ１５、およびステップＵ１〜ステップＵ６が本発明の医薬品販売プログラムに相当する。第一実施形態において、事業所Ｕ（健康保険組合等）の構成員Ｍは、事業所Ｕの運営するホームページにアクセスし、種々のデータをやり取りするものである。はじめに、構成員端末２は操作手段Ｏを利用して入力された構成員識別データＩＤを送出する（ステップＳ１）。このとき、事業所サーバ３は構成員識別データＩＤの検出の有無を判断し（ステップＴ１）、構成員識別データＩＤの検出がある場合（ステップＴ１においてＹＥＳ）、構成員識別データＩＤを受付け（スッテプＴ２）、構成員識別データＩＤの検出がない場合（ステップＴ２においてＮＯ）、構成員識別データＩＤが検出されるまで待機する。そして、受付けた構成員識別データＩＤに基づいて構成員を認証し（ステップＴ３）、認証された場合（ステップＴ４においてＹＥＳ）、販売医薬品情報ＳＩを送出する（ステップＴ５）。認証されない場合（ステップＴ４においてＮＯ）、ステップＴ１の処理に戻る。
【００５６】
そして、構成員端末２は、販売医薬品情報ＳＩを受付け、表示手段ＭＤに表示させる（ステップＳ２）。続いて、症状データＳＤの送出指示の有無を判断し（ステップＳ３）、送出支持がある場合（ステップＳ３においてＹＥＳ）、症状データＳＤをインターネットＮを介して事業所サーバ３に送出し（ステップＳ４）、送出指示がない場合（ステップＳ３においてＮＯ）、ステップＳ６の処理に進む。すると、事業所サーバ３は症状データＳＤの検出の有無を判断し（ステップＴ６）、検出される場合（ステップＴ６においてＹＥＳ）、受付けた症状データＳＤに基づいて対応する医薬品情報ＭＩを抽出し、症状別医薬品情報ＳＭＩを作成し、インターネットＮを介して構成員端末２に送出する（ステップＴ７）。一方、症状データＳＤの検出がない場合（ステップＴ６においてＮＯ）、ステップＴ７の処理をキャンセルする。
【００５７】
ここで、構成員端末２は、症状別医薬品情報ＳＭＩを受付け（ステップＳ５）、注文情報ＯＩの送出指示の有無を判断し（ステップＳ６）、指示がある場合（ステップＳ６においてＹＥＳ）、操作手段Ｏを利用して注文情報ＯＩを作成し、送出する（ステップＳ７）。一方、指示のない場合（ステップＳ６においてＮＯ）、ステップＳ７の処理をキャンセルする。そして、システム終了の指示の有無を判断し（ステップＳ８）、指示がある場合（ステップＳ８においてＹＥＳ）、システムを終了し（ステップＳ９）、指示がない場合（ステップＳ８においてＮＯ）、ステップＳ１の処理に戻る。
【００５８】
そして、事業所サーバ３は注文情報ＯＩの検出の有無を判断し（ステップＴ８）、検出がある場合（ステップＴ８においてＹＥＳ）、注文情報ＯＩを受付け（ステップＴ９）、受付けた注文情報ＯＩを記憶する（ステップＴ１０）。なお、ステップＴ１０において、受付けた注文情報ＯＩを注文情報データベースＯＤＢに照会し、対応する構成員識別データＩＤが既にある場合は、その構成員識別データＩＤに対応して注文情報を蓄積する。一方、注文情報ＯＩの検出がない場合（ステップＴ８においてＮＯ）、ステップＴ９およびステップＴ１０の処理をキャンセルする。その後、販売期間の経過を判断し（ステップＴ１１）、販売期間が経過した場合（ステップＴ１１においてＹＥＳ）、各注文情報に基づいて合計金額を計算し、注文情報データベースＯＤＢに記憶し（ステップＴ１２）、販売期間に受付けた注文情報ＯＩを包括した包括注文情報ＰＯＩを作成し、インターネットＮを介して販売者サーバ４に送出する（ステップＴ１３）。一方、販売期間が経過していない場合（ステップＴ１１においてＮＯ）、ステップＴ１の処理に戻る。すなわち、販売期間が経過するまで、上述したステップＴ１〜ステップＴ１１の処理を繰り返す。そして、システム終了の指示の有無を判断し（ステップＴ１４）、指示がある場合（ステップＴ１４においてＹＥＳ）、システムを終了し（ステップＴ１５）、指示がない場合（ステップＴ１４においてＮＯ）、ステップＴ１の処理に戻る。
【００５９】
そして、販売者サーバ４は包括注文情報ＰＯＩの検出の有無を判断し（ステップＵ１）、包括注文情報ＰＯＩの検出がある場合（ステップＵ１においてＹＥＳ）、包括注文情報ＰＯＩを受付ける（ステップＵ２）。一方、包括注文情報ＰＯＩの検出がない場合（ステップＵ１においてＮＯ）、ステップＵ１の処理に戻り、包括注文情報ＰＯＩの検出があるまで待機する。続いて、受付けた包括注文情報ＰＯＩに基づいて構成員情報ＰＩを抽出し（ステップＵ３）、出荷指示情報を作成し、印刷手段Ｐに送出する（ステップＵ４）。そして、システム終了の指示の有無を判断し（ステップＵ５）、指示がある場合（ステップＵ５においてＹＥＳ）、システムを終了し（ステップＵ６）、指示がない場合（ステップＵ５においてＮＯ）、ステップＵ１の処理に戻る。
【００６０】
次に、第一実施形態の医薬品販売システム１の利用例を図１に基づいて説明する。構成員Ｍは、構成員端末２を利用して、事業所Ｕのホームページにアクセスする。例えば、ホームページには、保険証、保険料、福利厚生等の健康保険組合関連の種々の情報が含まれている。そして、構成員Ｍは、斡旋販売の項目を選択し、操作手段Ｏを利用して構成員識別データＩＤを入力し、送出することによって斡旋販売で販売される医薬品の情報が表示手段ＭＤに表示される。構成員Ｍは、表示された医薬品情報ＭＩに基づいて注文情報ＯＩを作成し、送出する。事業所サーバ３は、注文情報ＯＩを受付け、記憶する。その後、構成員Ｍが新たに注文情報ＯＩを送出した場合は、事業所サーバ３に記憶されている注文情報ＯＩに追加される。そして、販売期間が終了すると、事業所サーバ３において、販売期間内に受付けた複数の注文情報ＯＩに基づいて、注文情報ＯＩごとに合計金額を計算し、まとめて販売者サーバ４に送出する。販売者サーバ４は、受付けた注文情報ＯＩに基づいて、構成員Ｍを特定し、出荷指示情報を作成し、配送者Ｄが利用するプリンタに送出する。配送者Ｄは、出荷指示情報に基づいて医薬品ＤＭを仕分けし、構成員Ｍの元に配送する。すなわち、構成員Ｍと販売会社Ｓの間には直接のやり取りはなく、事業所Ｕを通じて医薬品の注文がなされている。ここで、配送者Ｄは販売会社Ｓの一部門であってもよい。
【００６１】
第一実施形態の医薬品販売システム１を利用することにより、卸売一般販売業等の販売会社Ｓは事業所Ｕを介して構成員Ｍに対して医薬品を販売する際に、インターネットＮを介した通信販売を実施することができる。ここで、事業所サーバ３は販売期間が経過した後、注文情報ＯＩをまとめて販売者サーバ４に送出するため、構成員Ｍは販売期間中、随時、構成員端末２を利用して事業所サーバ３に対して注文情報ＯＩを送出することができる。すなわち、販売期間内であれば、構成員Ｍは何度でも注文することができるため、注文をし忘れること等を少なくすることができる。さらに、事業所Ｕは、構成員Ｍの注文をとりまとめて、販売会社Ｓに注文する等の手数が軽減される。
【００６２】
また、事業所サーバ３において、販売期間経過後に構成員Ｍごとに注文した医薬品ＤＭの合計金額が計算され、合計データＡＤと共に注文情報ＯＩとして販売者サーバ４に送出されるため、販売会社Ｓは、合計金額を計算する手数を軽減することができる。さらに、注文情報ＯＩをインターネットＮを介して電子データの形式で受付けるため、注文された医薬品の統計をとって販売分析を行うこと等を容易にすることができる。
【００６３】
次に、本発明の第二実施形態である医薬品販売システム１００について、図６乃至図１１に基づいて説明する。ここで、図６は第二実施形態の医薬品販売システム１００の概略構成を示す説明図であり、図７は構成員端末１０１の機能的構成を示すブロック図であり、図８は医薬品集計サーバ１０３および管理者端末１０４の機能的構成を示すブロック図であり、図９乃至図１１は販売システムにおける各サーバ１０２，１０３および各端末１０１，１０４のそれぞれの処理の流れを示すフローチャートである。ここで、第二実施形態の医薬品販売システム１００において、第一実施形態の医薬品販売システム１と同一の構成及び機能を示すものは、同一番号を付し、詳細な説明を省略するものとする。
【００６４】
第二実施形態の医薬品販売システム１００は、図６に主に示すように、インターネットＮに接続可能な環境に構築された構成員端末１０１、医薬品集計サーバ１０３、販売者サーバ１０２、および管理者端末１０４によって構成されている。ここで、販売者サーバ１０２は、医薬品ＤＭを斡旋販売する卸売一般販売業者等の販売会社Ｓによって、設置および管理運営されているものである。そして、構成員端末１０１は該販売会社Ｓによる斡旋販売によって医薬品ＤＭを購入しようとする購入者に相当し、予め販売会社Ｓおよび医薬品集計サーバ１０３の管理運営者たる集計サーバ管理会社Ｇ（詳細は後述する）によって登録された複数の登録事業所Ｕのいずれか一つに属している構成員Ｍが利用するものである。さらに、医薬品集計サーバ１０３は、前述の構成員端末１０１から送出される医薬品ＤＭの注文に係る注文情報ＯＩを受付け、登録事業所Ｕ別に集計するものであり、販売会社Ｓと全く異なる別組織である集計サーバ管理会社Ｇによって管理運営されている。また、管理者端末１０４は、構成員端末１０１から送出された医薬品ＤＭに係る注文情報ＯＩを集計した医薬品集計サーバ１０３に対して、注文に係る内容を販売者サーバ１０２に対して送出する前に確認し、承認をする注文管理者Ｃ（登録事業所Ｕによって予め選任されている）の利用するものである。
【００６５】
なお、登録事業所Ｕが健康保険組合等の事業所に当たり、構成員Ｍはこれらの登録事業所Ｕに属する組合員が相当する。
【００６６】
次に、各サーバ１０２，１０３および各端末１０１，１０４の具体的な構成について図７および図８に基づいて説明する。構成員端末１０１は、図２に示すように、その機能的構成として、キーボードなどの操作手段Ｏを介して、構成員識別データＩＤを入力し、送出する構成員識別データ送出手段１１と、認証を受けた医薬品集計サーバ１０３から医薬品情報ＭＩおよび販売医薬品情報ＳＩを受付ける販売医薬品情報受付手段１２と、販売医薬品情報ＳＩを表示手段ＭＤに出力させる表示制御手段１３と、種々の情報を記憶する構成員端末記憶手段１４と、購入を希望する医薬品ＤＭの医薬品情報ＭＩ、個数データＱＤ、および構成員識別データＩＤを含む注文情報ＯＩを作成する注文情報作成手段１５と、注文情報ＯＩを医薬品集計サーバ１０３に送出し、医薬品ＤＭを発注する注文情報送出手段１６と、販売医薬品情報ＳＩおよび注文情報ＯＩなどの種々の情報およびデータを送受するための構成員端末通信制御手段１０５とを具備し、第一実施形態の医薬品販売システム１の構成員端末２と略同一の構成を有している。
【００６７】
一方、医薬品集計サーバ１０３は、その機能的構成として、構成員端末１０１から送出される複数の登録事業所Ｕに属する構成員Ｍに係る構成員識別データＩＤを識別するために、予め構築された構成員識別データベースＩＤＢを有する構成員識別データ記憶手段１１２ａ、医薬品ＤＭの斡旋販売の際に提供する医薬品ＤＭの医薬品名、製造元、および販売価格等の基本情報を含む医薬品情報ＭＩを、登録事業所Ｕ別に設定し、医薬品情報データベースＭＩＤＢに記憶する医薬品情報記憶手段１１２ｂと、構成員識別データＩＤを受付け、前述の構成員識別データベースＩＤＢに照会し、構成員Ｍの認証を行う構成員認証手段２２と、医薬品情報ＭＩおよび登録事業所Ｕ別に設定された医薬品ＤＭの斡旋販売を行う販売期間を示す販売期間データＴＤを含む販売医薬品情報ＳＩを作成する販売医薬品情報作成手段２３と、作成した販売医薬品情報ＳＩを認証済みの構成員端末１０１に対して送出する販売医薬品情報送出手段２４とを主に具備している。ここで、販売医薬品情報ＳＩに含まれる情報には、販売可能な医薬品ＤＭの種類がリストされ、個々の医薬品ＤＭについて販売価格が決定されている。このとき、登録された複数の登録事業所Ｕ毎に、医薬品ＤＭのリストおよび販売価格が異なっている。すなわち、契約内容或いは過去の販売実績などから、大量に販売することが予想される登録事業所Ｕに対しては、通常よりも販売価格を安価に抑え、構成員Ｍにより割安感を与えて購買意欲を促進したり、登録事業所の取引関係から取扱えない医薬品ＤＭがある場合にはこれをリストから削除することがある。
【００６８】
加えて、医薬品集計サーバ１０３は、構成員端末１０１から送出される注文情報ＯＩを販売医薬品情報ＳＩによって指定される販売期間データＴＤに基づいて、注文情報ＯＩを受付ける注文情報受付手段２５と、受付けた注文情報ＯＩを構成員識別データＩＤに基づいて登録事業所Ｕ別に分類された注文情報データベースＯＤＢに格納し、蓄積する注文情報蓄積手段２６とをさらに具備している。なお、前述の注文情報受付手段２５は、各登録事業所Ｕ毎に設定された販売期間内に注文情報ＯＩを受付けたか否かを判断し、販売期間の経過後に後述する包括注文情報ＰＯＩを作成するタイミングを制御する期間判断手段１１９と接続している。すなわち、医薬品集計サーバ１０３は、第一実施形態の医薬品販売システム１における事業所サーバ３と略同一の構成を有するとともに、さらに複数の登録事業所Ｕから注文情報ＯＩを受付けることができるものである。
【００６９】
さらに、前述の期間判断手段１１９によって、販売期間の経過が検出されると、注文情報データベースＯＤＢに蓄積された登録事業所Ｕ毎の注文情報ＯＩを集計し、包括注文情報ＰＯＩを作成する包括注文情報作成手段２９と、管理者端末１０４からの接続要求に応じ、包括注文情報ＰＯＩを管理者端末１０４に対して閲覧可能に公開する包括注文情報公開手段１０７と、管理者端末１０４を操作する注文管理者Ｃによって承認を得た包括注文情報ＰＯＩを、インターネットＮを介して販売者サーバ１０２に送出する包括注文情報送出手段３０と、各端末２，５および販売者サーバ１０２に対して種々のデータを送受するための集計サーバ通信制御手段１０９と、種々のデータを表示する集計サーバ表示手段１１０と接続する集計サーバ表示制御手段１１１とを具備している。なお、医薬品集計サーバ１０３は、第二実施形態においては、市販の汎用サーバを利用して構築されている。また、構成員識別データ記憶手段１１２ａおよび医薬品情報記憶手段１１２ｂを含む種々のデータを記憶するものをまとめて集計サーバ記憶手段１１２が構築されている。加えて、集計サーバ記憶手段１１２には、予め登録された登録事業所Ｕに係る情報を含む登録事業所データＲＤがさらに記憶されている。
【００７０】
一方、販売者サーバ１０２は、第一実施形態の医薬品販売システム１における販売者サーバ４と同一の構成を示すため、ここでは詳細な説明は省略する。
【００７１】
また、管理者端末１０４は、その機能的構成として、販売期間の経過した後に医薬品集計サーバ１０３によって作成される包括注文情報ＰＯＩを閲覧するために、該医薬品集計サーバ１０３に対して接続を要求する接続要求手段１１３と、接続要求に応じて開示される包括注文情報ＰＯＩを閲覧する閲覧手段１１４と、包括注文情報ＰＯＩを閲覧した注文管理者Ｃによって承認し、インターネットＮを介して医薬品集計サーバ１０３に対して販売者サーバ１０２へ包括注文情報ＰＯＩを送信する旨の指示をする包括注文情報送信指示手段１１５と、医薬品集計サーバ１０３と種々のデータの送受を行うための管理者端末通信制御手段１１６と、種々のデータを表示するための管理者端末表示手段１１７に接続した管理者端末表示制御手段１１８を具備して主に構成されている。なお、注文管理者Ｃは自らの属する登録事業所Ｕに関するものを閲覧するために、医薬品集計サーバ１０３に対して管理者端末１０４を認証させる処理を行う必要がある。ここで、認証の手法は、前述の構成員Ｍの識別および認証と略同一のものが採用されるため、詳細な説明は省略するものとする。
【００７２】
次に、第二実施形態の医薬品販売システム１００における構成員端末１０１、医薬品集計サーバ１０３、販売者サーバ１０２、および管理者端末１０４の処理の流れについて、図４乃至図６に基づいて説明する。ここで、医薬品集計サーバ１０３に係るステップＴＴ１からステップＴＴ１６、販売者サーバ１０２に係るステップＵＵ１からステップＵＵ５、および管理者端末１０４に係るステップＶＶ１からステップＶＶ７が本発明における医薬品販売プログラムに相当する。
【００７３】
構成員端末１０１は操作手段Ｏを介して構成員Ｍによって入力された構成員識別データＩＤを送出する（ステップＳＳ１）。このとき、医薬品集計サーバ１０３は構成員識別データＩＤの検出の有無を判断し（ステップＴＴ１）、構成員識別データＩＤが検出される場合（ステップＴＴ１においてＹＥＳ）、構成員識別データＩＤを受付け（ステップＴＴ２）、構成員Ｍの認証を行う（ステップＴＴ３）。一方、構成員識別データＩＤが検出されない場合（ステップＴＴ１においてＮＯ）、医薬品集計サーバ１０３は構成員端末１０１から送出される構成員識別データＩＤの検出を継続する。
【００７４】
医薬品集計サーバ１０３は、受付けた構成員識別データＩＤが予め構成員識別データベースＩＤＢに記憶されているかを判断し（ステップＴＴ３およびステップＴＴ４）、予め登録された登録事業所Ｕのいずれかに属している場合、すなわち、構成員識別データＩＤによって構成員Ｍが認証される場合（ステップＴＴ４においてＹＥＳ）、認証された構成員Ｍが属する登録事業所Ｕに対応して作成された販売医薬品情報ＳＩを構成員端末１０１に対して送出する（ステップＴＴ５）。一方、構成員Ｍの認証がされない場合（ステップＴＴ４においてＮＯ）、送出された構成員識別データＩＤが不正なものであると判断し、以後の処理を中止し、ステップＴＴ１の処理を再び継続する。
【００７５】
そして、構成員端末１０１は、認証が確認され、医薬品集計サーバ１０３から送出された販売医薬品情報ＳＩを受付けるとともに、これを表示手段ＭＤによって表示する（ステップＳＳ２）。ここで、構成員端末１０１に提供される販売医薬品情報ＳＩは、前述したように、予め契約した複数の登録事業所Ｕ毎に、購入可能な医薬品ＤＭの種類、販売価格、および販売期間などが異なっている。そのため、医薬品集計サーバ１０３は、構成員識別データＩＤによって構成員Ｍを認証する際に、当該構成員Ｍがどの登録事業所Ｕに属しているかを判断し、係る判断の結果に基づいて該当する販売医薬品情報ＳＩを送出する。
【００７６】
その後、販売医薬品情報ＳＩを受付け、表示した構成員端末１０１を利用して構成員Ｍは、自らが購入を希望する医薬品ＤＭ、および注文個数等を決定する（ステップＳＳ３）。なお、係る操作は、通常のインターネットＮのホームページ画面で行うことができる。注文する医薬品ＤＭおよびその注文個数等が決定し、医薬品集計サーバ１０３に対して注文を行う場合（ステップＳＳ３においてＹＥＳ）、決定した内容に基づいて操作手段Ｏを介して所定の項目（医薬品ＤＭ、注文個数など）を入力、および合計金額等を確認の操作を受付け、注文情報ＯＩの作成する（ステップＳＳ４）。その後、作成した注文情報ＯＩの送出を指示する旨の入力を受付けると（ステップＳＳ５においてＹＥＳ）、注文情報ＯＩを医薬品集計サーバ１０３に対してインターネットＮを介して送出する（ステップＳＳ６）。
【００７７】
一方、医薬品集計サーバ１０３に対して注文を行わない場合（ステップＳＳ３においてＮＯ）、若しくは作成した注文情報ＯＩの送出を指示する旨の入力が検出されない場合（ステップＳＳ５においてＮＯ）、ステップＳＳ７の処理に移る。その後、構成員端末１０１はシステムを終了する指示の入力を検出し（ステップＳＳ７）、指示が有る場合（ステップＳＳ７においてＹＥＳ）、システムを終了する（ステップＳＳ８）。一方、指示がない場合（ステップＳＳ７においてＮＯ）、ステップＳＳ１の処理に戻り、本システムを継続する。なお、販売医薬品情報に含まれた販売期間データＴＤに示される販売期間内であれば、構成員端末１０１によって医薬品ＤＭの追加若しくは変更、注文の取り消しなどを行うことができる。この場合、新たな注文情報ＯＩを医薬品集計サーバ１０３に対して送出することにより、医薬品集計サーバ１０３に格納された注文情報ＯＩが書き改められることになる。
【００７８】
一方、登録事業所Ｕ別に設定された販売医薬品情報ＳＩを構成員端末１０１に対して送出した医薬品集計サーバ１０３は、注文情報ＯＩの送出の検出を行う（ステップＴＴ６）。ここで、注文情報ＯＩの送出が検出される場合（ステップＴＴ６においてＹＥＳ）、係る注文情報ＯＩを受付け（ステップＴＴ７）、注文情報データベースＯＤＢに当該注文情報ＯＩを蓄積する（ステップＴＴ８）。一方、注文情報ＯＩの送出がない場合（ステップＴＴ６においてＮＯ）、ステップＴＴ７およびステップＴＴ８の処理がキャンセルされる。このとき、医薬品集計サーバ１０３に対しては、複数の登録事業所Ｕに属するそれぞれの構成員Ｍが利用する構成員端末１０１から注文情報ＯＩが送出されるため、係る注文情報ＯＩには構成員Ｍを識別する構成員識別データＩＤが必ず付されている。なお、係る注文情報ＯＩの受付けの際には、販売医薬品情報ＳＩにおいて指定された販売期間内であることの判断が同時に行われているが、ここでは説明を省略する。
【００７９】
その後、医薬品集計サーバ１０３は、登録事業所Ｕ別に販売期間データＴＤに基づいて設定された販売期間の経過を検出する（ステップＴＴ９）。そして、期間判断手段１１９によって設定された販売期間の経過が検出される場合（ステップＴＴ９においてＹＥＳ）、販売期間内に該当する登録事業所Ｕに属する構成員Ｍ（構成員端末１０１）から受付けた注文情報ＯＩを集計し、包括注文情報ＰＯＩを作成する（ステップＴＴ１０）。一方、販売期間の経過が検出されない場合（ステップＴＴ９においてＮＯ）、ステップＴＴ１の処理に戻る。
【００８０】
そして、医薬品集計サーバ１０３は、作成した包括注文情報ＰＯＩを閲覧するために、医薬品集計サーバ１０３に対して接続要求を行う管理者端末１０４からのアクセスを検出する（ステップＴＴ１１）。管理者端末１０４からの接続要求がある場合（ステップＴＴ１１においてＹＥＳ）、作成した包括注文情報ＰＯＩを管理者端末１０４に対して公開する（ステップＴＴ１２）。なお、この際、接続要求を行った管理者端末１０４および医薬品集計サーバ１０３の間で、管理者端末１０４およびそれを利用する注文管理者Ｃの認証処理が行われることがいうまでもない。一方、管理者端末１０４からの接続要求が検出されない場合（ステップＴＴ１１においてＮＯ）、医薬品集計サーバ１０３はステップＴＴ１１の処理を継続する。
【００８１】
なお、販売期間に関する情報は、予め登録事業所Ｕを通じて注文管理者Ｃに伝達されているため、注文管理者Ｃは販売期間の経過を自ら判断し、医薬品集計サーバ１０３に対して接続を要求するか、或いは医薬品集計サーバ１０３から何らかの伝達手段（例えば、電子メールなど）によって管理者端末１０４に対し、販売期間の経過を報知し、接続要求を促すことを行ってもよい。
【００８２】
ここで、前述の手法によって販売期間の経過を認識した注文管理者Ｃは、管理者端末１０４を利用して、医薬品集計サーバ１０３に対して接続を要求する旨の入力を行い、管理者端末１０４はこれに応じて医薬品集計サーバ１０３に対して接続要求を行う（ステップＵＵ１）。そして、接続要求に応じて公開された包括注文情報ＰＯＩを、インターネットＮを介して受付け、これを閲覧する（ステップＵＵ２）。ここで、管理者端末１０４を利用する注文管理者Ｃは、それぞれの登録事業所Ｕ毎に予め選任されたものであり、従来の斡旋販売においては、紙ベースの注文用紙を取りまとめ、卸売一般販売業者に一括して注文の指示を行っていた担当者（役員）である。すなわち、以前は登録事業所Ｕの担当者によって、予め注文内容のチェックが行われていた。そこで、作成された包括注文情報ＰＯＩの内容を確認し、承認するための機能を果たすため、本システムでは管理者端末１０４に包括注文情報ＰＯＩを公開し、チェックを受けている。そして、包括注文情報ＰＯＩを閲覧した注文管理者Ｃは、医薬品集計サーバ１０３に対して包括注文情報ＰＯＩを販売者サーバ１０２に送出する指示を入力する。そして、管理者端末１０４は係る入力操作を受付ける（ステップＵＵ３）。その後、管理者端末１０４はシステムを終了する指示の入力を検出し（ステップＵＵ４）、指示が有る場合（ステップＵＵ４においてＹＥＳ）、システムを終了する（ステップＵＵ５）。一方、指示がない場合（ステップＵＵ４においてＮＯ）、ステップＵＵ１の処理に戻り、本システムを継続する。
【００８３】
一方、医薬品集計サーバ１０３は、接続要求に応じて包括注文情報ＰＯＩを公開した管理者端末１０４からの包括注文情報ＰＯＩの送出指示を検出する（ステップＴＴ１３）。そして、管理者端末１０４からの送出指示がある場合（ステップＴＴ１３においてＹＥＳ）、作成した包括注文情報ＰＯＩを、医薬品ＤＭを販売する販売会社Ｓが管理運営する販売者サーバ１０２に対して送出する（ステップＴＴ１４）。一方、管理者端末１０４からの送出指示がない場合（ステップＴＴ１３においてＮＯ）、ステップＴＴ１２の処理を継続する。その後、医薬品集計サーバ１０３はシステムを終了する指示の入力を検出し（ステップＴＴ１５）、指示が有る場合（ステップＴＴ１５においてＹＥＳ）、システムを終了する（ステップＴＴ１６）。一方、指示がない場合（ステップＴＴ１５においてＮＯ）、ステップＴＴ１の処理に戻り、本システムを継続する。
【００８４】
このとき、販売者サーバ１０２は、管理者端末１０４から送出指示がなされた包括注文情報ＰＯＩが医薬品集計サーバ１０３からインターネットＮを介して送出されるのを検出する（ステップＶＶ１）。そして、包括注文情報ＰＯＩの送出が検出される場合（ステップＶＶ１においてＹＥＳ）、係る包括注文情報ＰＯＩを受付け（ステップＶＶ２）、さらに包括注文情報ＰＯＩに含まれるそれぞれの注文情報ＯＩから構成員Ｍに係る構成員情報ＰＩを抽出し（ステップＶＶ３）、さらにそれぞれの注文情報ＯＩの内容に応じた出荷指示情報を作成する（ステップＶＶ４）。一方、包括注文情報ＰＯＩの送出が検出されない場合（ステップＶＶ１においてＮＯ）、ステップＶＶ１の処理を継続する。そして、作成された出荷指示情報を、実際に医薬品ＤＭを注文に応じて仕分けし、予め登録された構成員Ｍの配送先に配送する配送業者（図示しない）に送信する（ステップＶＶ５）。これにより、配送業者から各構成員Ｍの配送先に注文通りの医薬品ＤＭが届けられる（図１参照）。その後、販売者サーバ１０２はシステムを終了する指示の入力を検出し（ステップＶＶ６）、指示が有る場合（ステップＶＶ６においてＹＥＳ）、システムを終了する（ステップＶＶ７）。一方、指示がない場合（ステップＶＶ６においてＮＯ）、ステップＴＴ１の処理に戻り、本システムを継続する。
【００８５】
上記述べたように、第二実施形態の医薬品販売システム１００を適用することにより、卸売一般販売業等の販売会社Ｓは、複数の登録事業所Ｕに属する構成員Ｍに対し、医薬品集計サーバ１０３を管理運営する集計サーバ管理会社を介して医薬品ＤＭの斡旋販売を行うことができる。このとき、複数の登録事業所Ｕに属する構成員Ｍからの注文を医薬品集計サーバ１０３によって一括して処理することができるため、個々の登録事業所Ｕに係る負担を軽減することができる。さらに、登録事業所Ｕによって予め選任された注文管理者Ｃの利用する管理者端末１０４によって登録事業所Ｕ毎に集計された包括注文情報ＰＯＩを確認することができるため、注文に係るチェック機能を本システムは有している。その結果、不正な注文などを制限し、安全に本システムを運営することができる。
【００８６】
以上、本発明について好適な第一実施形態及び第二実施形態を挙げて説明したが、本発明はこれらの実施形態に限定されるものではなく、以下に示すように、本発明の要旨を逸脱しない範囲において種々の改良および設計の変更が可能である。
【００８７】
すなわち、第一実施形態及び第二実施形態において、それぞれ示した各サーバ３，１０３等、及び各端末２，１０１等の処理の流れを示すフローチャートを例示したが、これに限定されるものではなく、各ステップにおける処理及びその順序を適宜変更するものであってもかまわない。例えば、事業所Ｕが事業所サーバ３を設置および管理運営するものを示したが、例えば、健康保険組合の場合、種々の健康保険組合をまとめる健康保険組合連合が設置および管理運営するものであってもよいし、全く別の管理会社が管理運営するものであってもよい。
【００８８】
さらに、事業所サーバ３は販売期間が経過した後、注文情報ＯＩを包括し、包括注文情報ＰＯＩを作成して販売者サーバ４に送出するものを示したが、販売期間中に複数回に分割して送出するものであってもよい。例えば、販売期間が”７／１〜７／３１”の場合に、第一締め切りを”７／１１”、第二締め切りを”７／２１”、最終締め切りを”７／３１”と設定し、締切日が経過した後に、注文情報ＯＩを包括し、送出してもよい。これにより、構成員Ｍは注文した医薬品ＤＭを早く受取ることができる。
【００８９】
加えて、事業所サーバ３において計算した合計データＡＤを含む注文情報ＯＩを構成員端末２に送出するものであってもよい。これにより、構成員Ｍは自分が注文した医薬品ＤＭおよびその合計金額を確認することが可能となる。また、販売期間中に構成員端末２から注文情報ＯＩを閲覧する指示を事業所サーバ３に送出し、指示に応じて事業所サーバ３から送出された注文情報ＯＩに基づいて、注文の取消しを行うことが可能なものであってもよい。これにより、販売期間中に注文を変更（追加および取消し）することができる。
【図面の簡単な説明】
【００９０】
【図１】第一実施形態の医薬品販売システムの概略構成を示す説明図である。
【図２】構成員端末および販売者サーバの機能的構成を示すブロック図である。
【図３】事業所サーバの機能的構成を示すブロック図である。
【図４】構成員端末および事業所サーバにおける処理の流れを示すフローチャートである。
【図５】事業所サーバおよび販売者サーバにおける処理の流れを示すフローチャートである。
【図６】第二実施形態における医薬品販売システムの概略構成を示す説明図である。
【図７】構成員端末の機能的構成を示すブロック図である。
【図８】医薬品集計サーバおよび管理者端末の機能的構成を示すブロック図である。
【図９】医薬品販売システムにおける各サーバおよび各端末のそれぞれの処理の流れを示すフローチャートである。
【図１０】医薬品販売システムにおける各サーバおよび各端末のそれぞれの処理の流れを示すフローチャートである。
【図１１】医薬品販売システムにおける各サーバおよび各端末のそれぞれの処理の流れを示すフローチャートである。
【符号の説明】
【００９１】
１，１００  医薬品販売システム
２，１０１  構成員端末
３  事業所サーバ
４，１０２  販売者サーバ
１１  構成員識別データ送出手段
１２  販売医薬品情報受付手段
１４  構成員端末記憶手段
１５  注文情報作成手段
１６  注文情報送出手段
１７  症状データ送出手段
１８  症状別医薬品情報受付手段
２１  構成員識別データ受付手段
２２  構成員認証手段
２３  販売医薬品情報作成手段
２４  販売医薬品情報送出手段
２５  注文情報受付手段
２６  注文情報蓄積手段
２７  期間限定手段
２８  合計金額計算手段
２９  包括注文情報作成手段
３０  包括注文情報送出手段
３１  症状データ受付手段
３２  症状別医薬品情報送出手段
３３  医薬品情報抽出手段
４１  販売者サーバ記憶手段
４２  包括注文情報受付手段
４３  構成員情報抽出手段
４４  出荷指示情報作成手段
４５  出荷指示情報送出手段
１０３  医薬品集計サーバ
１０４  管理者端末
１０６  包括注文情報作成手段
１０７  包括注文情報公開手段
１０８  包括注文情報送出手段
１１２  集計サーバ記憶手段
１１２ａ  構成員識別データ記憶手段
１１２ｂ  医薬品情報記憶手段
１１３  接続要求手段
１１４  閲覧手段
１１５  包括注文情報送信指示手段
１１９  期間判断手段
ＡＤ  合計データ
ＡＤＢ  受注情報データベース
ＡＩ  受注情報
Ｃ  注文管理者
ＤＭ  医薬品
Ｇ  集計サーバ管理会社
ＩＤ  構成員識別データ
ＩＤＢ  構成員識別データベース
Ｍ  構成員
ＭＩ  医薬品情報
ＭＩＤＢ  医薬品情報データベース
Ｎ  インターネット（通信ネットワーク）
ＯＤＢ  注文情報データベース
ＯＩ  注文情報
ＰＩ  構成員情報
ＰＯＩ  包括注文情報
Ｓ  販売会社
ＳＤ  症状データ
ＳＤＢ  症状別データベース
ＳＩ  販売医薬品情報
ＳＭＩ  症状別医薬品情報
ＴＤ  販売期間データ
Ｕ  事業所，登録事業所
ＵＤＢ  構成員情報データベース
ＵＩＤ  事業所識別データ
【図１】
2005100324.tif 000003
【図２】
2005100324.tif 000004
【図３】
2005100324.tif 000005
【図４】
2005100324.tif 000006
【図５】
2005100324.tif 000007
【図６】
2005100324.tif 000008
【図７】
2005100324.tif 000009
【図８】
2005100324.tif 000010
【図９】
2005100324.tif 000011
【図１０】
2005100324.tif 000012
【図１１】
2005100324.tif 000013